(57)【要約】【課題】中実構造の第１穂先部と管状構造の第２穂先部とを、安定した接着剤層を確保して安定した取付強度で継ぎ合わせた竿杆を有する釣り竿を提供すること。【解決手段】中実構造の第１穂先部２０と管状構造に形成した第２穂先部３０とを備え、この第２穂先部の先端に開口する嵌合孔３４に、第１穂先部２０から後方に突出する嵌合部２４を嵌合し、第１穂先部２０と第２穂先部３０とを一体構造に継ぎ合わせて形成した穂先竿１６を有する釣り竿１０であって、嵌合部２４に、嵌合孔３４の内周面に直接接触する膨出部２４ｃと、嵌合孔３４の内周面との間に接着剤層４０を形成する円筒状部２４ｂとを形成した釣り竿。【選択図】      図２
2009178131.tif 000002
【特許請求の範囲】
【請求項１】
中実構造の第１穂先部と管状構造に形成した第２穂先部とを備え、この第２穂先部の先端に開口する嵌合孔に、前記第１穂先部から後方に突出する嵌合部を嵌合し、第１穂先部と第２穂先部とを一体構造に継ぎ合わせて嵌合領域を形成した竿杆を有する釣り竿であって、
前記嵌合部に、前記嵌合孔の内周面に直接接触する膨出部と、前記嵌合領域の範囲で前記膨出部の外径よりも小径に形成されて前記内周面との間に接着剤層を形成する接着部とを形成したことを特徴とする釣り竿。
【請求項２】
前記膨出部は、軸方向に間隔をおいた複数の位置に形成されることを特徴とする請求項１に記載の釣り竿。
【請求項３】
前記膨出部は、第１穂先部と別部材で形成されることを特徴とする請求項１又は２に記載の釣り竿。
【発明の詳細な説明】
【技術分野】
【０００１】
本発明は、中実構造の第１穂先部と管状構造に形成した第２穂先部とを備え、この第２穂先部の先端に開口する嵌合孔に、第１穂先部から後方に突出する嵌合部を嵌合し、第１穂先部と第２穂先部とを一体構造に継ぎ合わせて形成した竿杆を有する釣り竿に関する。
【背景技術】
【０００２】
一般に、複数の竿杆を継いで長尺に形成した釣り竿は、細径かつ軽量構造に形成された穂先竿を先端部分に配置しており、この穂先竿を介して釣り糸からの微細な魚信を敏感に感得することができると共に、その柔軟性により、大きく撓ませて魚の動きに追従することができる。
【０００３】
このような釣り竿の穂先竿には、先側部を中実構造に形成し、この先側部から後方に突出する小径の挿入部を、中空構造に形成した後側部の先端開口部内に嵌合し、接着剤により、この挿入部と開口部とを介して、先側部と後側部とを一体的に結合したものがある（例えば特許文献１参照）。
【特許文献１】特開平８−３３２００２
【発明の開示】
【発明が解決しようとする課題】
【０００４】
図６は、このような継ぎ構造の穂先竿を形成する通常の作業工程を示す。
【０００５】
図６の（Ａ）から（Ｃ）に示すように、中実体で形成した先側部１は後端側からテーパ面１ａを介して小径の嵌合部１ｂを突出し、中空体で形成した後側部２の開口端にも同様なテーパ面２ａを形成する。同図の（Ｂ）に示すように、この嵌合部１ｂおよびテーパ面１ａに接着剤Ｓを塗布し、後側部２の内孔２ｂ内に挿入し、同図の（Ｃ）に示すように、接着剤Ｓが硬化するまで保持した後、先側部１と後側部２との接着が完了する。これにより、継ぎ構造を有する１本の穂先竿が完成する。テーパ面１ａ，２ａは、継ぎ部に段差が形成されるのを防ぐと共に、剛性の変化を滑らかにする。
【０００６】
しかし、外周部に接着剤Ｓを塗布した挿入部１ｂを、後側部２の内孔２ｂ内に挿入する際、後側部２により、接着剤Ｓがしごき取られる。この状態で接着剤Ｓが硬化すると、接着剤Ｓの厚さ分だけ、先側部１と後側部２とのそれぞれの中心軸線が互いに傾斜した状態で固定されることになる。
【０００７】
図７に、接着剤Ｓの厚さ分だけ傾斜して固着した状態を示すように、接着剤Ｓの厚さが薄くなった部分は、接着力が不足する。この場合には、先側部１が大きく撓んだ際に、接着力の不足から剥離が生じる可能性がある。また、先側部１と後側部２との中心軸線が互いに傾斜することにより、穂先竿の中間部で曲がった状態となり、釣り操作を円滑に行うことが困難な場合も生じる。
【０００８】
本発明は、このような事情に基づいてなされたもので、中実構造の第１穂先部と管状構造の第２穂先部とを、安定した接着剤層を確保して安定した取付強度で継ぎ合わせた竿杆を有する釣り竿を提供することを目的とする。
【課題を解決するための手段】
【０００９】
上記目的を達成する本発明の釣り竿は、中実構造の第１穂先部と管状構造に形成した第２穂先部とを備え、この第２穂先部の先端に開口する嵌合孔に、前記第１穂先部から後方に突出する嵌合部を嵌合し、第１穂先部と第２穂先部とを一体構造に継ぎ合わせて形成した竿杆を有する釣り竿であって、前記嵌合部に、前記嵌合孔の内周面に直接接触する膨出部と、前記内周面との間に接着剤層を形成する接着部とを形成したことを特徴とする。
【００１０】
前記膨出部は、軸方向に間隔をおいた複数の位置に形成してもよい。
【００１１】
また、前記膨出部は、第１穂先部と別部材で形成することも可能である。
【発明の効果】
【００１２】
本発明の釣り竿によると、第１穂先部の嵌合部に形成した膨出部が、第２穂先部の嵌合孔の内周面に接触することにより、この嵌合部の接着部と嵌合孔の内周面との間に、接着剤がしごかれることなく、周面に所要の厚さの接着剤層が形成され、これにより、中実構造の第１穂先部と管状構造の第２穂先部とを、安定した接着剤層を確保して安定した取付強度で継ぎ合わせた竿杆を有する釣り竿が提供される。
【００１３】
この膨出部が軸方向に間隔をおいて複数の位置に形成される場合には、嵌合孔の内周面と接着部の外周面との間に均一な厚さの接着剤層を形成することができる。
【００１４】
また、膨出部を第１穂先部と別部材で形成することにより、第２穂先部に応じて適宜の材質又は大きさとすることができる。
【発明を実施するための最良の形態】
【００１５】
図１は、本発明の好ましい実施形態による釣竿１０を示す。
【００１６】
この釣竿１０は、振り出し式の例えば磯上物竿として形成してあり、穂先側の複数の竿杆を順に収納可能な最も大径の元側竿杆１２にリールシート１４を設け、このリールシート１４に魚釣用リール８を取付けてある。この釣竿１０には、竿管の外面に釣り糸が付着するのを防止する釣糸ガイド６が、魚釣用リール８と同じ側で、釣竿１０の穂先に向けて所定間隔をおいて固定され、竿先にはトップガイド６ａが取付けられている。このような釣糸ガイド６の個数および配置位置は、図示の例に限らず、任意に設定することが可能である。
【００１７】
このような釣竿１０は、振出し式に限らず、いんろう継ぎ、並継ぎあるいは逆並継ぎ等の適宜の継ぎ形式のものであってもよい。また、複数の竿杆から形成するだけでなく、１本の竿杆でのみ形成してもよい。
【００１８】
この釣り竿１０の最も先端に配置した穂先竿１６は、中実構造の第１穂先部と管状構造に形成した第２穂先部とを一体構造に継ぎ合わせた竿杆で形成してあり、この第１穂先部の先端にトップガイド６ａが固定される。穂先竿１６の先側の第１穂先部を中実構造に形成することにより、魚の引き等で大きく撓むことができると共に、釣り糸を介して微細な魚信を伝達することができる。
【００１９】
図２に拡大して示すように、本実施形態の穂先竿１６を形成する竿杆は、中実構造の第１穂先部２０と管状構造に形成した第２穂先部３０とを一体構造に継ぎ合わせて形成してある。この第２穂先部３０は、強化繊維に合成樹脂を含浸させた繊維強化プリプレグ（ＦＲＰ）シートを芯金に巻回した後、硬化、脱芯等の通常の工程を経て形成される。また、中実構造の第１穂先部２０は、好適な単一材料で形成した中実体で形成し、または、中実体の周部に繊維強化樹脂層を形成した構造であってもよい。なお、第１穂先部２０は、繊維強化樹脂に代え、その全体又は一部を、例えば超弾性合金等の適宜の金属材料で形成することも可能である。
【００２０】
第１穂先部２０は、第２穂先部３０と共に穂先竿１６の外周面を形成する本体部２２と、この本体部２２の元側の後方端から後方に向けて突出する嵌合部２４とを有する。また、第２穂先部３０は軸方向に貫通する内孔３２を有し、第１穂先部２０の嵌合部２４が嵌合する嵌合孔３４が先端側に開口させて形成される。
【００２１】
第２穂先部３０の先端に開口する嵌合孔３４は、先端側に拡径するテーパ部３４ａと、このテーパ部３４ａの後方端に連続する円筒状部３４ｂとを有し、本実施形態の円筒状部３４ｂは内孔３２の一部すなわち同径でかつ連続した内周面で形成されている。このテーパ部３４ａは、適宜の傾斜角で形成することができるが、第１穂先部２０の本体部２２の外周面との間に大きな段差が形成されるのを防止し、剛性を緩やかに変化させるために、中心軸線に対してテーパ率で２０〜８０／１０００程度の角度に形成することが好ましい。
【００２２】
一方、第１穂先部２０の嵌合部２４は、円筒状の本体部２２から後方に向けて縮径するテーパ部２４ａと、このテーパ部２４ａの後方端から後方に延びる円筒状部２４ｂと、この円筒状部２４ｂの後方端に配置された膨出部２４ｃとを有する。テーパ部２４ａは、嵌合孔３４の先端側に位置するテーパ部３４ａとほぼ同じ傾斜角で形成され、円筒状部２４ｂは、嵌合孔３２の円筒状部３４ｂの内周面よりも僅かに小径に形成され、膨出部２４ｃは、この円筒状部３４ｂの内周面と同径に形成される。この円筒状部２４ｂは、嵌合孔３４の円筒状部３４ｂの内周面よりも０．０５〜０．３ｍｍの範囲で、好ましくは０．１０ｍｍ程度小さな内径を有し、この円筒状部３４ｂの内周面との間に、接着剤層４０を形成するための環状スペースを形成する。円筒状部２４ｂの外径をこのように形成することにより、嵌合孔３４内に挿入する嵌合部２４の深さを調節し、嵌合部２４のテーパ面２４ａと嵌合孔３４のテーパ面３４ａとの間にも、同様な厚さの接着剤層４０を形成することができる。
【００２３】
このように形成した第１穂先部２０と第２穂先部３０とを一体的に継ぎ合わせる際は、第１穂先部２０の嵌合部２４のテーパ部２４ａおよび円筒状部２４ｂの外周に好適な接着剤を塗布しておく。この接着剤は、円筒状部２４ｂ上で、少なくとも膨出部２４ｃの外周面と等しくなる厚さに形成する。
【００２４】
この後、挿入部２０の嵌合部２４を、後方端すなわち嵌合部２４の後端に位置する膨出部２４ｃから、第２穂先部３０の嵌合孔３４内に挿入する。膨出部２４ｃは、嵌合孔３０の先端に位置するテーパ部３４ａにより、円筒状部３４ｂまで案内される。更に、第１穂先部２０を後方に押圧すると、膨出部２４ｃがこの円筒状部３４ｂの内周面に沿って案内されつつ後方に押し込まれ、嵌合部２４の円筒状部２４ｂの外周には、嵌合孔３４の円筒状部３４ｂの内周面との間に、全周にわたって一定の径方向寸法を有する間隙が確保される。円筒状部２４ｂの外周部に塗布された接着剤が嵌合孔３４の円筒状部３４ｂの先端側でしごき取られ、周方向に沿って不均一な厚さとなるのが防止される。
【００２５】
そして、第１穂先部２０の本体部２２の後端と、第２穂先部３０の先端との間に所要幅の環状間隙３５が形成された状態に保持することにより、テーパ部２４ａ，３４ａ間にも、円筒状部２４ｂ，３４ｂ間と同様な間隙が形成され、全周にわたって均等な厚さの接着剤層４０が形成される。この接着剤層４０が硬化されることにより、一定の取付強度で一体構造に継ぎ合わされた１本の竿杆からなる穂先竿１６が形成される。
【００２６】
本実施形態では、第１穂先部２０の嵌合部２４は、これらのテーパ部２４ａおよび円筒状部２４ｂが第２穂先部３０に接着剤層４０を介して接着固定する接着部として機能し、更に、膨出部２４ｃが嵌合孔３４の内周面に沿って円筒状部２４ｂの外周側に一定の間隙を確保しつつ案内する案内部として機能する。この案内部としての機能を発揮させるために、膨出部２４ｃの軸方向長さは、例えば嵌合部２４の長さに対して０．５〜２０％程度に形成することが好ましい。
【００２７】
したがって上述の実施形態によれば、第１穂先部２０の嵌合部２４に形成した膨出部２４ｃが、第２穂先部３０の嵌合孔３４の円筒状部３４ｃの内周面に接触することにより、この嵌合部２４の接着部であるテーパ部２４ａおよび円筒状部２４ｂと嵌合孔３４のテーパ部３４ａおよび円筒状部３４ｂの内周面との間に、所要の厚さの接着剤層４０がその全周にわたってほぼ一定の厚さを有し、これにより、中実構造の第１穂先部２０と管状構造の第２穂先部３０とを、安定した接着剤層４０を確保して安定した取付強度で継ぎ合わせた竿杆で形成された穂先竿１６を有する釣り竿１０が提供される。
【００２８】
図３は、他の実施形態による穂先竿１６Ａを示す。なお、以下に示す種々の実施形態あるいは変形例は、基本的には上述の実施形態と同様であるため、同様な部材には同様な符号を付し、その詳細な説明を省略する。
【００２９】
図３に示す実施形態は、膨出部２４ｃが円筒状部２４ｂの後端と前端との軸方向に間隔をおいた２つの位置に形成してある。
【００３０】
この場合には、上述の実施形態と同様な作用効果に加え、嵌合部２４を嵌合孔３４内に挿入する際に、この嵌合部２４の傾きを防止することができ、円筒状部２４ｂ，３４ｂ間に、全周にわたって径方向寸法が一定の環状間隙を確保すると共に、第２穂先部３０の中心軸線に対する第１穂先部２０の中心軸線の傾きを防止し、双方の中心軸線を同一線上に保持することができる。なお、このような膨出部２４ｃは、２つの位置に限らず、３つ以上の位置であってもよい。この場合には、膨出部２４ｃの全体の軸方向寸法を短くすることもできる。
【００３１】
図４に示す実施形態では穂先竿１６Ｂの嵌合部２４に形成される膨出部２４ｃが、この第１穂先部２０とは別個に形成されたキャップ部材２６で形成してある。このキャップ部材２６は、嵌合孔３４の円筒状部３４ｂの内径に等しい外径を有し、円筒状部２４ｂの後端に嵌合される。
【００３２】
このキャップ部材２６は、嵌合孔３４内に挿入する際に双方の中心軸線を同軸上に維持できるものであればよく、例えば合成樹脂、合成ゴム、金属等で形成することができる。
【００３３】
このように、膨出部２４ｃを第１穂先部２０とは別部材で形成することにより、第２穂先部３０を形成する材質に応じて適宜の材質又は大きさとすることができる。
【００３４】
なお、図示のキャップ部材２６は、周壁部の後端を閉じた有底構造に形成してあるが、嵌合部２４上で移動が阻止できるものであれば、このような端壁を省略して両端を開口させた円筒状又はリング状に形成してもよい。この場合には、円筒状部２４ｂの中間部位にも装着することができる。
【００３５】
図５に示す穂先竿１６Ｃは、膨出部２４ｃが、円筒状部２４ｂの後端面に固定した栓体２８で形成してある。この栓体２８は、先端側から突出する突起２８ａを、円筒状部２４ｂの後端面の中心位置に形成した凹部２５に嵌合させて固定してある。キャップ部材２６と同様に、嵌合孔３４内に挿入する際に双方の中心軸線を同軸上に維持できるものであれば、第１穂先部２０又は第２穂先部３０の材質に応じて、例えば合成樹脂、合成ゴム、金属等の好適な材料で形成することができる。
【００３６】
以上、図に示す種々の実施形態および変形例について個々に説明してきたが、本発明はいずれかの実施形態あるいは変形例に限定されるものではなく、様々な用途に応じて適宜に変更しあるいは組合せることが可能である。例えば、図４に示すキャップ部材２６を図２および図３に示す実施形態の嵌合部２４に用いることも可能であり、図５に示す栓体２８についても同様である。
【図面の簡単な説明】
【００３７】
【図１】本発明の好ましい実施形態による釣り竿の全体を示す説明図。
【図２】図１に示す釣り竿の穂先竿の継ぎ部の断面を示し、（Ａ）は長手方向の部分断面図、（Ｂ）は（Ａ）のＢ−Ｂ線に沿う断面図、（Ｃ）はＣ−Ｃに沿う断面図。
【図３】他の実施形態による穂先竿の釣り竿の継ぎ部の部分断面図。
【図４】更に他の実施形態による穂先竿の図３と同様な部分断面図。
【図５】更に他の実施形態による穂先竿の図３と同様な部分断面図。
【図６】従来の穂先竿の継ぎ工程を示す説明図。
【図７】図６に示す工程で継いだ穂先竿の継ぎ部の部分断面図。
【符号の説明】
【００３８】
１０…釣り竿、１６…穂先竿（竿杆）、２０…第１穂先部、２４…嵌合部、２４ｂ…円筒状部（接着部）、２４ｃ…膨出部、３０…第２穂先部、３４…嵌合孔、３４ｂ…円筒状部、４０…接着剤層。
【図１】
2009178131.tif 000003
【図２】
2009178131.tif 000004
【図３】
2009178131.tif 000005
【図４】
2009178131.tif 000006
【図５】
2009178131.tif 000007
【図６】
2009178131.tif 000008
【図７】
2009178131.tif 000009